(57)【要約】【課題】  従来ヘルメットには、照明灯１３、笛１４など保持する場合はそれぞれの部品を接着、締め付けおよびクリップ等により取り付けていたため、紛失また脱落および取り付け忘れのおそれがあった。【解決手段】  本発明に係わる防災ヘルメットの本体１およびつば２に挿入口５、勘入口４、保持部体３Ａを有する保持体３、および引っ掛け口１１引っ掛け穴１０を設けた引っ掛け体９を一体形成したことを特徴とする。【選択図】図７
2017095843.tif 000002
【特許請求の範囲】
【請求項１】
本体１に、照明灯１３または笛１４を保持する、保持部体３Ａを有する保持体３を一体形成し設けたことを特徴とする防災ヘルメット。
【請求項２】
つば２に、照明灯１３または笛１４を保持する、曲げ部体６および保持部体３Ａを有する保持体３を一体形成し設けたことを特徴とする防災ヘルメット。
【請求項３】
本体１に収納用の、引っ掛け穴１０を有する引っ掛け体９を一体形成し設けたことを特徴とする防災ヘルメット。
【請求項４】
保持体３に、挿入口５を設けたことを特徴とする請求項１ないし２に記載の防災ヘルメット。
【請求項５】
引っ掛け体９に、引っ掛け口１１を設けたことを特徴とする請求項３に記載の防災ヘルメット。
【発明の詳細な説明】
【技術分野】
【０００１】  この発明は、照明灯１３、笛１４を取り付け可能な保持部体３Ａ、勘入口４、および挿入口５、曲げ部体６を有する保持体３を本体１またはつば２に一体形成したことを特徴とした防災ヘルメットに関するものである。
【背景技術】
【０００２】  従来、照明灯１３、笛１４、の取り付けはそれぞれ保持体を単体にてヘルメットに螺子、挟み付け、接着などにて取り付けていた。
【先行技術文献】
【特許文献】
【０００３】
【特許文献１】
【発明の概要】
【発明が解決しようとする課題】
【０００４】  照明灯、笛を保持する保持体を個別にヘルメットに螺子、はさみ付け、接着などにより取り付けていたため取り付け忘れ、紛失、接着はがれまた緊急時には取り付けの時間がないなどの恐れがあり、また腰掛けの下などに保管していたため緊急時使用の場合には取り出しに手間取るおそれがあった。
本発明は、以上のような欠点をなくすためになされたものである。
【課題を解決するための手段】
【０００５】  照明灯１３、笛１４を保持する保持体３に保持部体３Ａ、勘入口４または挿入口５を設けた保持体３を一体形成した防災ヘルメット。【０００６】    保持体３に突起体７を設けて、薄くした曲げ部体６部分を曲げて突起体７を止め穴８に勘入するように一体形成した防災ヘルメット【０００７】  本体１の後部端に引っ掛け体９を設けて、引っ掛け体９に引っ掛け穴１０および引っ掛け口１１を設ける、腰掛け１７の背もたれの引っ掛け棒１２に引っ掛け穴１０を掛けるように一体形成した防災ヘルメット。
本発明は、以上の構成よりなる防災ヘルメットである。
【発明の効果】
【０００８】  本発明によれば、上記構成により照明灯および笛を勘入保持する保持部体を有する保持体を防災ヘルメットの本体または、つばに一体形成したことにより、保持体の取り付け忘れ接着はがれ等を防ぎ取り付けの手間が省けるものである、また本体の後部に、引っ掛け穴を有する、引っ掛け体を一体形成したことにより取り付け忘れをふせぎ、腰掛け机などに設けた引っ掛け棒にかけて保管でき緊急時において短時間で防災ヘルメットを使用でき、引っ掛け体に設けた引っ掛け口により防災ヘルメットをさらに引っ掛け棒よりはずし易くしたものである。
【図面の簡単な説明】
【０００９】
【図１】は、本発明に係わる防災ヘルメットの、保持体３、勘入口４を設けた正面図である。
【図２】は、本発明に係わる防災ヘルメットの、保持体３に挿入口５を設けた正面図である。
【図３】は、本発明に係わる防災ヘルメットの、本体１、つば２に保持体３および引っ掛け体９を設けた上面図である。
【図４】は、本発明に係わる防災ヘルメットの、本体１、つば２に保持体３および引っ掛け体９、接着材１６接着材１６Ａを設けた低面図である。
【図５】は、本発明に係わる防災ヘルメットの、つば２、本体１に保持体３に笛１４、照明灯１３を保持した、一実施形態における正面図である。
【図６】は、本発明に係わる防災ヘルメットの、本体１およびつば２に照明灯１３、笛１４を保持した、一実施形態における左側面図である。
【図７】は、本発明に係わる防災ヘルメットの、照明灯１３、笛１４および引っ掛け体９に引っ掛け口１１を設けて引っ掛け棒１２に収納した一実施形態における上面図である。
【発明を実施するための形態】
【００１０】  以下、本発明の構成および実施するための形態を、図面に基づいて詳細に説明する。
【００１１】  図１は、プラスチック樹脂である本体１に保持部体３Ａ、勘入口４、保持部体３Ａを有する保持体３をもうけて、プラスチック樹脂であるつば２に保持部体３Ａ、挿入口５を有する保持体３を、曲げ部体６を曲げ突起体７を止め穴８に勘入保持できるように一体形成した防災ヘルメットである、なお突起体７、止め穴８の保持には接着、溶着、勘合等により保持できればよく突起体７、止め穴８をなくしマジックテープ、曲げ部体６部分を保持体３全体に薄く一体形成し保持体３全体を曲げて突起体７、止め穴８を勘入保持してもよい、保持体３は本体１つば２両方に設けてもよくどちらか一方に設けてもよい、また複数個本体１、つば２に保持体３を設けてもよい一体形成した防災ヘルメットである。
【００１２】  図２は、図１で示した保持体３に切り取り状の挿入口５設をけたことにより保持体３全体がバネ状の役割を果たし照明灯１３、笛１４、筆記具（図示せず）等を保持し挿入口５より着脱自在である。
【００１３】  図３は、図１，および図２に示したように本体１、つば２に保持体３を設けて本体１に引っ掛け穴１０を有する引っ掛け体９を設けた防災ヘルメットである、防災ヘルメットの収納保持には腰掛け机などに設けた棒状突起体などに引っ掛け穴１０においてつり下げる一体形成した防災ヘルメットである。
【００１４】図４は、つば２に設けた保持体３を曲げ部体６において曲げ、接着材１６接着材１６Ａにて止め照明灯１３または笛１４を保持するものである一体形成した防災ヘルメットであり突起体７、止め穴８により複数にて保持してもよく接着材１６接着材１６Ａはマジックテープであっても良いことは言うまでもない。
【００１５】図５は、本体１に設けた保持部体３Ａに照明灯１３、または笛１４を勘入口４より勘入保持する物である、つば２に設けた保持体３の挿入口５より照明灯１３、または笛１４を保持部体３Ａにおいて保持していれば必要なとき照明灯１３のスイッチ押し点灯し、笛１４を保持体３より外し使用する物である以上により照明灯１３及び笛１４をセットしてあれば、緊急時において防災ヘルメットのそのまま被ればよく、取り付け忘れ、紛失、接着はがれ等はなく簡単に素早く使用できる一体形成した防災ヘルメットの一実施形態である。
【００１６】  図６は、保持体３に切り込み状の挿入口５より保持部体３Ａに照明灯１３を装着した図である、切り込み状の挿入口５を設けたことにより保持体３全体がバネ状になり保持部体３Ａに挿入した照明灯１３または笛１４をしっかりと保持し非常時において脱着が迅速に行える一体形成した防災ヘルメットの一実施形態である。
【００１７】  図７は、腰掛け１７の引っ掛け棒１２に本体１に設けた引っ掛け体９の引っ掛け穴１０により引っ掛け棒１２に掛けて収納するものである、従来は机、腰掛けの下、ボードなどに収納体を設けて収納していたため大掛かりであり緊急時において取り出しに手間取るおそれがあった、本防災ヘルメットにおいては本体１の端に引っ掛け体９を設けた一部を切り取った引っ掛け穴１０に通じる引っ掛け口１１設けたことにより、引っ掛け棒１２より横にスライドすれば引っ掛け棒１２から引っ掛け口１１を通り防災ヘルメットを迅速簡単に脱着でき手前に引いても引っ掛け棒１２より迅速簡単に脱着できることは言うまでもない、また一カ所にまとめて保管収納の場合は必要な長さの棒、紐などをボードなどに設置しておけば引っ掛け体９に設けた切り込みの、引っ掛け口１１より引っ掛け穴１０に掛ければ一カ所にまとめて場所をとらず保管し防災ヘルメットを緊急なとき迅速簡単に外し着用することができる防災ヘルメットの一実施形態である。
【符号の説明】
【００１８】１・・・本体
２・・・つば
３・・・保持体
３Ａ・・保持部体
４・・・勘入口
５・・・挿入口
６・・・曲げ部体
７・・・突起体
８・・・止め穴
９・・・引っ掛け体
１０・・引っ掛け穴
１１・・引っ掛け口
１２・・引っ掛け棒
１３・・照明灯
１４・・笛
１５・・内装材
１６・・接着材
１６Ａ・接着材
１７・・腰掛け
【図１】
2017095843.tif 000003
【図２】
2017095843.tif 000004
【図３】
2017095843.tif 000005
【図４】
2017095843.tif 000006
【図５】
2017095843.tif 000007
【図６】
2017095843.tif 000008
【図７】
2017095843.tif 000009